(57)【要約】      （修正有）【課題】郵送又は配送された情報シートが受取人に渡る前に情報シートの記入された秘密情報記入部を第三者に盗み見られることを防止でき、且つ、一旦剥離すると元に戻せないことにより悪戯防止ができると共に、受取人が容易に開封できる情報隠蔽シールを提供する。【解決手段】隠蔽性基材２の片面に強粘着剤層３及び剥離紙４が順次積層されて構成され、前記剥離紙を剥離した後、情報シートに設けられた秘密情報記入部に貼付して記入事項を隠蔽する情報隠蔽シールであって、前記強粘着剤層は、電離放射線を照射することにより粘着力が低下することを特徴とするものである。【選択図】図１
2008145720.tif 000002
【特許請求の範囲】
【請求項１】
隠蔽性基材の片面に強粘着剤層及び剥離紙が順次積層されて構成され、前記剥離紙を剥離した後、情報シートに設けられた秘密情報記入部に貼付して記入事項を隠蔽する情報隠蔽シールであって、前記強粘着剤層は、電離放射線を照射することにより粘着力が低下することを特徴とする情報隠蔽シール。
【発明の詳細な説明】
【技術分野】
【０００１】
本発明は、郵送又は配送される情報シートの秘密情報記入部に貼付して記入事項の機密性を確実に保持できる情報隠蔽シールに関し、詳しくは、郵送又は配送された情報シートが受取人に渡る前に情報隠蔽シールを剥離すると情報シート又は情報隠蔽シールが紙剥けして、その情報が判読できず、且つ、一旦剥離すると元に戻せないことによりその情報が第三者に盗み見られることを防止するとともに、受取人が、情報隠蔽シールに電離放射線を照射することにより容易に開封できる情報隠蔽シール関するものである。
【背景技術】
【０００２】
従来、情報を伝えたい相手のみに知らせる情報シートとして代表的なものに郵便物がある。その中で、宛先に表記された受取人にのみ情報を通知する最も一般的な郵便物として封書がある。一般的な封書は、読み手が一度開封すると開封されたことがわかり、受取人以外のものが内部情報を取得するのは困難である。封書は個人が手軽に作製できる親展性情報シートではあるが、反面、郵便料金が葉書より割高なものとなる。そこで、近年、情報シートとして、例えば、葉書に通知情報を視認できないようにした各種の隠蔽葉書が考案されている。最も簡単なものは、葉書に設けられた秘密情報記入部に再剥離可能な情報隠蔽シールを貼り付けて記入事項を隠蔽した隠蔽葉書がある。さらに、隠蔽したい情報量が多い場合には、同サイズの葉書本体片並びに隠蔽用紙片が折畳み可能に接合されており、葉書本体片の内面に所定事項を記入する記入欄が設定されていると共に、隠蔽用紙片の内面に再剥離粘着剤が塗布され、その表面に剥離紙が貼着されている構成の隠蔽葉書が知られている（例えば、特許文献１参照）。
【０００３】
しかしながら、上記の情報隠蔽シールや隠蔽葉書では、例えば、パンフレット等に綴じこまれた隠蔽葉書に顧客が、プライバシー情報（住所、氏名、年齢、電話番号等）を記入して、何らかのサービスや商品を購入するために、葉書本体片の内面側に印刷されている情報記入欄に所定の事項を記入した後に、隠蔽用紙片に貼着されている剥離紙を剥がして、隠蔽用紙片に塗布されている再剥離粘着剤により、葉書本体片の内面の情報記入欄を覆うように隠蔽用紙片を接着して単体葉書として投函した場合、隠蔽用紙片に塗布されている再剥離粘着剤は再接着性を有するため、葉書を配達する途中で第三者が隠蔽用紙片を剥離して記入内容を見ることができ、また、記入内容を見た後に再度隠蔽用紙片が接着されると第三者に見られたことが分からないので、機密性の保持が完全ではないという欠点を有している。また、情報隠蔽シール付申込葉書の場合にも、情報隠蔽シールには再剥離粘着剤が用いられており、再接着性を有するために同様の欠点を有している。
【０００４】
一方、支持体の一面に隠蔽層、感熱接着剤層、感圧接着剤層及び剥離剤層を順次積層してなる親展ラベルが提案されている（例えば、特許文献２参照）。特許文献２に開示された親展ラベルは、剥離剤層を剥離した後、葉書等の親展情報記載部分に加圧して接着され、隠蔽層により外部から見えないので機密性が保持される。その後、受取人は支持体と隠蔽層の積層体を剥離して感熱接着剤層及び感圧接着剤層を通して葉書表面の親展情報を視認する。この親展ラベルは隠蔽層と感熱接着剤層との間で剥離され、それぞれの層には再接着性がなく、第三者が開封した場合には、開封した痕跡が残り、親展情報記載部分の機密性を確実に保持できるようになった。しかしながら、開封することにより、第三者に記入内容が見ることができるために、その後、接着剤等により再接着し元に戻すという悪戯をされる虞がある。
【特許文献１】特開平７−２１４９４７号公報
【特許文献２】特開平８−８７２３８号公報
【発明の開示】
【発明が解決しようとする課題】
【０００５】
本発明は、上記のような問題点に鑑み、郵送又は配送された情報シートが受取人に渡る前に情報シートに設けられた秘密情報記入部に貼付して記入事項を隠蔽した情報隠蔽シールを剥離すると情報シート又は情報隠蔽シールが紙剥けして、その情報が判読できず、情報シートに設けられた秘密情報記入部に記入された記入事項を第三者に盗み見られることを防止でき、且つ、一旦剥離すると元に戻せないことにより悪戯防止ができると共に、受取人が、情報隠蔽シールに電離放射線を照射することにより容易に剥離して開封できる情報隠蔽シールを提供するものである。
【課題を解決するための手段】
【０００６】
上記課題を解決するために、請求項１記載の本発明の情報隠蔽シールは、隠蔽性基材の片面に強粘着剤層及び剥離紙が順次積層されて構成され、前記剥離紙を剥離した後、情報シートに設けられた秘密情報記入部に貼付して記入事項を隠蔽する情報隠蔽シールであって、前記強粘着剤層は、電離放射線を照射することにより粘着力が低下することを特徴とするものである。
【発明の効果】
【０００７】
本発明の情報隠蔽シールは、隠蔽性基材の片面に強粘着剤層及び剥離紙が順次積層されて構成されており、情報シートの秘密情報記入部に所定の個人情報等を記入後、情報隠蔽シールの剥離紙を剥がして強粘着剤層を露出させて、該秘密情報記入部に圧着して貼付することにより情報シートに設けられた秘密情報記入部を隠蔽することができる。また、強粘着剤層により剥離不能に接着されるので、郵送又は配送された情報シートが受取人に渡る前に情報シートに設けられた秘密情報記入部に貼付された情報隠蔽シールを剥離すると情報シート又は情報隠蔽シールが紙剥けして、その情報が判読できず、情報シートに設けられた秘密情報記入部に記入された記入事項を第三者に盗み見られることを防止でき、機密性が保持されるものである。さらに一旦剥離すると紙剥けするために元に戻せないことにより悪戯防止ができる。
【０００８】
また、受取人が、情報隠蔽シールに電離放射線を照射することにより、強粘着剤層の粘着力が低下し、情報隠蔽シールを情報シートから紙剥けすることなく容易に剥離して開封でき、情報シートに設けられた秘密情報記入部に記入された記入事項を見ることができるという効果を奏する。
【発明を実施するための最良の形態】
【０００９】
以下図面を用いて、本発明の実施形態について説明する。
図１は本発明に係る情報隠蔽シールの一実施形態を示す断面図、図２は本発明に係る情報隠蔽シールの使用方法を説明する断面図で（イ）は情報隠蔽シールの剥離紙を剥離する状態、（ロ）は情報隠蔽シールを情報シートに貼付した状態、（ハ）は情報シートの受取人が、情報隠蔽シールを剥離する状態をそれぞれ示し、図３は本発明に係る情報隠蔽シールの使用例を示す説明図、図４は本発明に係る情報隠蔽シールの他の実施形態を示す断面図である。図中の符号１、２１は情報隠蔽シール、２、２２は隠蔽性基材、３、２３は強粘着剤層、４、２４は剥離紙、１０は申込葉書、１１は秘密情報記入部、１２は宛名部、１３は申込み欄、１４は透明シート、１５は非反応性強粘着剤層をそれぞれ示す。
【００１０】
本発明の情報隠蔽シール１は図１に示す積層構成をしており、隠蔽性基材２の片面に強粘着剤層３及び剥離紙４が順次積層されて構成され、情報シートに設けられた秘密情報記入部に貼付する際には、剥離紙４を剥離した後、加圧して接着される。隠蔽性基材２の表面には情報隠蔽シール１の使用方法の説明等が印刷されている。
【００１１】
次に本発明の情報隠蔽シール１に使用される材料について説明する。隠蔽性基材２は、電離放射線が透過する限り特に制限されるものではないが、紙、プラスチックフィルム等が好ましく用いられる。紙としては、坪量５０〜１２０ｇ／ｍ2 の上質紙、コート紙、クラフト紙、グラシン紙、再生紙等が使用できる。紙の片面及び／又は両面に着色インキを用いて隠蔽層を設けてもよい。強粘着剤層３を積層する面には、例えばアクリル系等の樹脂で目止め層を設けることもできる。プラスチックフィルムとしては、厚み１２〜１００μｍのポリオレフィンフィルム、ポリエステルフィルム、ポリスチレンフィルム、アセテートフィルム及びポリ乳酸等のバイオマスを利用した素材等からなるフィルムが使用できる。プラスチックフィルムの場合には、二酸化チタン等の白色顔料やカーボンブラック等の着色顔料を樹脂に混合して着色フィルムにしたり、あるいはプラスチックフィルムに白インキ、黒インキ等の着色インキで印刷して隠蔽層を設けて、隠蔽性を付与する。また、強粘着剤層３を積層する面には、コロナ処理を施すことが好ましい。さらには、コロナ処理面にイソシアネート系等のアンカーコート層を設けることもできる。
【００１２】
強粘着剤層３は、情報隠蔽シール１の剥離紙４を剥離して情報シートに加圧して貼付した後、剥離すると、隠蔽性基材２又は情報シートが紙剥けするだけの接着強度が必要であり、一方、情報隠蔽シール１に電離放射線を照射することにより粘着力が低下して、情報シートと強粘着剤層３との間で容易に剥離することが必要である。好ましくは、情報シートに強粘着剤層３が非転着であることが望ましい。このような特徴を有する強粘着剤層３は、強粘着剤成分と反応性モノマー成分で構成され、その比率が強粘着剤が８０〜９０重量％、反応性モノマーが２０〜１０重量％が好適である。強粘着剤には、例えば、アクリル系、天然ゴム系、合成ゴム系、スチレン／ブタジエン共重合体、ポリ酢酸ビニル、酢酸ビニル／エチレン共重合体、塩化ビニル系、塩化ビニリデン系等の樹脂を単独若しくは二つ以上を組合わせて用いられる。反応性モノマーには、電離放射線を照射することにより重合して硬化する材料が用いられ、多官能ビニル化合物、多官能エポキシ化合物、多官能アクリレート、多官能メタクリレート等が使用できる。ここで言う官能基としては、例えばビニル基、アリル基、アルキレン基、メタクリロキシ基、アクリロイル基、メタアクリロイル基等のように二重結合を有し、電離放射線により重合性を有するものを指し、これらの官能基を導入して得られた上記の化合物が本発明に使用される。これらの強粘着剤と反応性モノマーは均一に混合した溶液として隠蔽性基材２又は剥離紙４にコーティング又はフレキソ、グラビア等の印刷方式で印刷され、その後、乾燥させて強粘着剤層３が形成され、隠蔽性基材２又は剥離紙４を積層することにより情報隠蔽シール１が得られる。尚、強粘着剤層３には、光重合開始剤、増感剤を添加したり、隠蔽性を付与するために白色顔料や黒色等の着色顔料を混合してもよい。また、強粘着剤層３は、反応性基を導入したポリマーを用いた強粘着剤として、強粘着剤自体が反応性を有するものとしてもよく、この場合には上記のような反応性モノマー成分を含まない構成とすることができる。
【００１３】
剥離紙４は、紙等の基材に、アクリル樹脂、シリコーン樹脂、フッ素樹脂等を塗布して熱や紫外線で硬化させて離型性を付与したものが使用できる。
【００１４】
本発明の情報隠蔽シール１に照射する電離放射線は、強粘着剤層３に含まれる反応性モノマーを硬化するために用いられるものであり、ここで言う電離放射線とは、電磁波又は荷電粒子線のうち、分子を重合、架橋し得るエネルギー量子を有するものを意味し、電子線、紫外線、重粒子線、高周波、α線、γ線、Ｘ線等、種々のものがあるが、工業的に利用できるのは、紫外線もしくは電子線等があり、この他γ線なども利用できる。
【００１５】
本発明の情報隠蔽シール１の強粘着剤層３の成分を上記のように強粘着剤成分と反応性モノマー成分で構成することにより、情報シートに貼付された情報隠蔽シール１は、電離放射線を照射する前では、情報隠蔽シール１を剥離すると隠蔽性基材２又は情報シートが紙剥けするだけの接着強度を有している。一方、これに、電離放射線を照射すると、メカニズムが十分に解明されているものではないが、電離放射線により強粘着剤層３に含まれる反応性モノマーの重合反応が開始され、硬化して三次元網状化されることにより、強粘着剤層３に含まれる強粘着剤の流動性が制御され、粘着力が低下するものと考えられる。その結果、情報隠蔽シール１の強粘着剤層３と情報シートの間で紙剥けすることなく容易に剥離できるものである。
【００１６】
次に、図２、図３を用いて本発明の情報隠蔽シール１を使用する手順について説明する。図２は本発明に係る情報隠蔽シールの使用方法を説明する断面図で（イ）は情報隠蔽シールの剥離紙を剥離する状態、（ロ）は情報隠蔽シールを情報シートに貼付した状態、（ハ）は情報シートの受取人が、情報隠蔽シールを剥離する状態をそれぞれ示す。図３は本発明に係る情報隠蔽シールの使用例を示す説明図であって、情報シートとしてパンフレットに綴じこまれている商品等の申込葉書を使用し、情報隠蔽シール１を利用した例を示したものであり、（イ）は申込葉書１０の表面図、（ロ）は申込葉書１０の裏面図、（ハ）は情報隠蔽シール１を秘密情報記入部１１に貼付して記入された秘密情報を隠蔽した状態を示す図である。図３に示すように申込葉書１０は表面に宛名部１２が印刷され、裏面には上部に申込み欄１３が設けられ、下部には氏名、届先、電話番号、メールアドレス等の個人情報記入欄や捺印欄を備えた秘密情報記入部１１が設けられている。まず、申込葉書１０の利用者は、図３に示すように申込葉書１０の裏面に設けられた申込み欄１３に必要事項を記入し、さらに秘密情報記入部１１に個人情報等を記入し、押印する。その後、図２の（イ）に示すように、情報隠蔽シール１の一角より剥離紙４を剥離し、強粘着剤層３を露出させ、申込葉書１０の裏面下部の秘密情報記入部１１に重ね合わせて加圧して貼付することにより図２の（ロ）及び図３の（ハ）に示すように秘密情報記入部１１が隠蔽される。そして、申込葉書１０をそのまま投函すればよい。
【００１７】
投函された申込葉書１０は区分けされ受取人側に配達される。情報隠蔽シール１は申込葉書１０に剥離不能に接着されているために申込葉書１０の郵送中に情報隠蔽シール１が剥離して秘密情報記入部１１が露出することがなく、記入された個人情報等の機密性を保持できるものである。また、情報隠蔽シール１を無理やり剥そうとすると強接着しているために、情報隠蔽シール１の隠蔽性基材２又は申込葉書１０が紙剥けして、記入された個人情報等が判読できず、さらに元に戻せないために悪戯防止ができるものである。
【００１８】
次に、この申込葉書１０を受取った受取人は、申込葉書１０を電離放射線照射装置に通して電離放射線を照射すると、強粘着剤層３に含まれる反応性モノマーが電離放射線により硬化して粘着力が殆どなくなり、情報隠蔽シール１の強粘着剤層３と申込葉書１０の間で紙剥けすることなく容易に剥離でき、申込葉書１０の秘密情報記入部１１に記入された個人情報等を視認できる。また、秘密情報記入部１１に強粘着剤層３の転着もなく、申込葉書１０を保管することができる。
【００１９】
図４は本発明に係る情報隠蔽シールの他の実施形態を示す断面図である。図４に示すように情報隠蔽シール２１は、隠蔽性基材２２の片面に強粘着剤層２３、透明シート１４、非反応性強粘着剤層１５及び剥離紙２４が順次積層されて構成されている。透明シート１４の基材にはポリエチレンテレフタレート、ポリプロピレン等の延伸若しくは未延伸のプラスチックフィルムや不織布や透明性のあるグラシンが用いられる。非反応性強粘着剤層１５には、電離放射線を照射しても粘着力が低下しないか若しくは低下の少ない粘着剤が用いられ、例えば、アクリル系やゴム系の粘着剤が挙げられる。その他は一実施形態と同様であり説明を省略する。
【００２０】
情報隠蔽シール２１は、情報シートに設けられた秘密情報記入部に貼付する際には、剥離紙２４を剥離した後、加圧して接着される。強粘着剤層２３及び非反応性強粘着剤層１５により情報隠蔽シール２１は情報シートに剥離不能に接着されているために秘密情報記入部が露出することがなく、記入された個人情報等の機密性を保持できるものである。
【００２１】
また、情報シートの受取人は、該情報シートを電離放射線照射装置に通して電離放射線を照射すると、強粘着剤層２３は粘着力が低下して殆どなくなり、一方、非反応性強粘着剤層１５の粘着力は低下しないか若しくは低下が少ないために、透明シート１４と情報シートとの間では剥離することがなく、隠蔽性基材２２と透明シート１４の間で容易に剥離でき、情報シートの秘密情報記入部に記入された個人情報等を視認できる。このように透明シート１４を積層した構成とすることにより、受取人が情報隠蔽シール２１を剥離した際に、情報シートの紙剥けを防止でき、情報シートの秘密情報記入部の内容を透明シート１４を通して確実に視認できる効果がある。
【００２２】
本発明の情報隠蔽シールは、カタログ販売申込書、口座振替依頼書等の親展通知情報を伴う通信媒体の秘密情報記入部を隠蔽するシールとして利用できる。
【図面の簡単な説明】
【００２３】
【図１】本発明に係る情報隠蔽シールの一実施形態を示す断面図である。
【図２】本発明に係る情報隠蔽シールの使用方法を説明する断面図である。
【図３】本発明に係る情報隠蔽シールの使用例を示す説明図である。
【図４】本発明に係る情報隠蔽シールの他の実施形態を示す断面図
【符号の説明】
【００２４】
１、２１                              情報隠蔽シール
２、２２                              隠蔽性基材
３、２３                              強粘着剤層
４、２４                              剥離紙
１０                                    申込葉書
１１                                    秘密情報記入部
１２                                    宛名部
１３                                    申込み欄
１４                                    透明シート
１５                                    非反応性強粘着剤層
【図１】
2008145720.tif 000003
【図２】
2008145720.tif 000004
【図３】
2008145720.tif 000005
【図４】
2008145720.tif 000006